(57)【要約】【課題】  マルチリング型ネットワークシステム及び交点ノードに関し、二重障害発生によってもデータ通信を継続可能とする。【解決手段】  複数のノードを０系と１系との光伝送路（２芯光ファイバ１０）によりリング状に接続して０系ルートと１系ルートとを形成し、交点ノード０１により、０系ルートと１系ルートとを含む複数のリング間を接続して、マルチリング型ネットワークシステムを構成し、交点ノード０１は、回線単位の付加ＴＳ情報を付加ＴＳ終端部１４により終端し、受信した付加ＴＳ情報と回線単位のデータとを基に、０系ルートと１系ルートとの正常性を判定し、正常なルート側を、セレクタ１５を制御することにより選択して、受信した回線単位のデータ及び付加ＴＳ情報を、０系ルートと１系ルートとに送信する付加ＴＳ終端盤１３を設けた構成を有する。【選択図】      図１
2006253868.tif 000002
【特許請求の範囲】
【請求項１】
複数のノードを０系と１系との光伝送路によりリング状に接続して０系ルートと１系ルートとを形成し、交点ノードにより前記０系ルートと１系ルートとを含む複数のリング間を接続したマルチリング型ネットワークシステムに於いて、
前記交点ノードは、回線単位の付加ＴＳ情報を終端し、受信した前記付加ＴＳ情報と回線単位のデータとを基に前記０系ルートと１系ルートとの正常性を判定し、正常なルート側を選択して受信した前記回線単位のデータ及び前記付加ＴＳ情報を、０系ルートと１系ルートとに送信する付加ＴＳ終端盤を設けた
ことを特徴とするマルチリング型ネットワークシステム。
【請求項２】
複数のノードを０系と１系との光伝送路によりリング状に接続して０系ルートと１系ルートとを形成し、複数のリング間を接続するマルチリング型ネットワークシステムに於ける交点ノードに於いて、
回線単位の付加ＴＳ情報を終端し、受信した前記付加ＴＳ情報と回線単位のデータとを基に前記０系ルートと１系ルートとの正常性を判定し、正常なルート側を選択して、受信した前記回線単位のデータ及び前記付加ＴＳ情報を、０系ルートと１系ルートとに送信する付加ＴＳ終端盤を設けた
ことを特徴とする交点ノード。
【請求項３】
前記付加ＴＳ終端盤は、前記回線単位のデータのパリティ演算結果と該回線単位の付加ＴＳ情報とを基に０系ルートと１系ルートの正常性を判定する付加ＴＳ終端部と、該付加ＴＳ終端部により判定した正常なルート側の回線単位のデータ及び付加ＴＳ情報を、０系ルートと１系ルートとに送信するように切替えるセレクタとを備えたことを特徴とする請求項１記載の交点ノード。
【発明の詳細な説明】
【技術分野】
【０００１】
本発明は、複数のリングネットワークを接続したマルチリング型ネットワークシステム及び交点ノードに関する。
【背景技術】
【０００２】
ＩＰ（Ｉｎｔｅｒｎｅｔ  Ｐｒｏｔｏｃｏｌ）通信のようなパケット交換型通信方式と、通常の回線交換型通信方式との両方に対応するハイブリッド型通信方式に於いては、光信号により伝送するリング型ネットワークシステムが知られており、更に二重化構成を適用している。例えば、２芯光ファイバによる０系と１系との光伝送路により、複数のノードをリング状に接続したシングルリング型ネットワークシステムが一般的であり、このシングルリング型ネットワークシステムの送信ノードは、０系と１系との光伝送路により一方と他方との両方向にデータを送出し、受信ノードは、両方向からのデータについて、正常な受信が可能の方向からのデータを受信処理する構成を有するものである。従って、送信ノードと受信ノードとの間の例えば０系の光伝送路に障害が発生しても、１系の光伝送路を介して受信ノードはデータを受信することができることになり、信頼性を向上することができる。
【０００３】
又ＳＤＨ（Ｓｙｎｃｈｒｏｎｏｕｓ  Ｄｉｇｉｔａｌ  Ｈｉｅｒａｒｃｈｙ）方式を適用してデータを伝送するシステムに於いて、障害発生時に、ＡＩＳ（Ａｌａｒｍ  Ｉｎｄｉｃａｔｉｏｎ  Ｓｉｇｎａｌ）及びパスオーバヘッド（ＰＯＨ；Ｐａｔｈ  Ｏｖｅｒｈｅａｄ）のＫ１，Ｋ２バイトによるＡＰＳ（Ａｕｔｏｍａｔｉｃ  Ｐｒｏｔｅｃｔｉｏｎ  Ｓｗｉｔｃｈ）を用いて、受信側に通知する手段があり、このＡＩＳとＡＰＳとによる光伝送路の切替制御を効率良く行う為の手段を、前述のシングルリング型ネットワークに適用することが提案されている（例えば、特許文献１参照）。
【０００４】
又複数のシングルリング型ネットワークの相互間を、交点ノードを介して接続したマルチリング型ネットワークシステムも知られている。例えば、図６に示すように、ノードＡ−０２〜Ａ−０８を光伝送路により接続したリングＡと、ノードＢ−０２〜Ｂ−８を光伝送路により接続したリングＢとを、交点ノード０１により接続した構成を有し、交点ノード０１は、ノードＡ−０２，Ｂ−０８間を接続し、且つノードＡ−０８，Ｂ−０２間を接続する構成を有するもので、リングＡとリングＢとの間を接続して大型のネットワークシステムを構成することになる。又各ノードには端末を接続することができるものであり、ノードＡ−０５に端末Ａを接続し、ノードＡ−０３に端末Ｃを接続し、ノードＢ−０５に端末Ｂを接続し、ノードＢ−０３に端末Ｄを接続した場合を示している。又端末Ａ，Ｂ間では、実線矢印で示す０系ルートと、点線矢印で示す１系ルートとの二重化ルートが形成される。従って、例えば、リングＢ側のノードＢ−０４，Ｂ−０５間で障害が発生した場合、交点ノード０１及びノードＢ−０５〜Ｂ−０８側が正常であれば、ノードＡ−０５，Ｂ−０５間に接続された端末Ａ，Ｂ間のデータ伝送を継続することができる。
【０００５】
図７は、前述の従来例の交点ノード０１の概略構成を示し、１０は０系光伝送路と１系光伝送路とを形成する為の２芯光ファイバ、１１Ａ０，１１Ａ１，１１Ｂ０，１１Ｂ１は光インタフェース部、１２Ａ，１２Ｂは空間スイッチ部を示す。光インタフェース部１１Ａ０，１１Ｂ０は、０系光伝送路に対する光信号の送受信処理を行い、光インタフェース部１１Ａ１，１１Ｂ１は、１系光伝送路に対する光信号の送受信処理を行うものであり、空間スイッチ部１２Ａ，１２Ｂに対して、光インタフェース部１１Ａ１，１１Ｂ０とは交絡接続され、図６に示すマルチリング型ネットワークシステムを構成する場合は、空間スイッチ部１２Ａ，１２Ｂのａ，ｂ，ｃ，ｄの経路を形成するように制御する。それによって、図６に示すリングＡ，Ｂ間を交点ノード０１により接続したマルチリング型ネットワークシステムを構成することができる。
【０００６】
又図６に示す交点ノード０１以外のノードは、例えば、図７に示す光インタフェース部１１Ａ０，１１Ａ１と空間スイッチ部１２Ａとを含み、光インタフェース部１１Ａ１と空間スイッチ部１２Ａとが接続された構成を有するものである。又端末は、空間スイッチ部１２Ａ，１２Ｂに端末インタフェース部（図示を省略）を介して接続するものである。
【０００７】
又マルチリング型ネットワークシステムに於いて、複数のリング間を複数のブリッジノード（前述の交点ノードに相当）により接続し、そのブリッジノードに障害が発生した場合、複数の迂回経路を形成可能の場合には、その迂回経路のノード数等を基にして、ＴＴＬ（Ｔｉｍｅ  Ｔｏ  Ｌｉｖｅ）値が設定値を超えない方の経路を選択する手段が知られている（例えば、特許文献２参照）。
【特許文献１】特開２００１−２９８４６９号公報
【特許文献２】特開２００３−２２９８７６号公報
【発明の開示】
【発明が解決しようとする課題】
【０００８】
従来は、ＶＣ（Ｖｉｒｔｕａｌ  Ｃｏｎｔａｉｎｅｒ）単位（最小６４ｋｂｐｓ×２４チャネル）で、ルート切替えを行う構成が一般的であり、その為に、回線収容効率は低くなる問題があった。又異常発生やパッケージ障害発生等に於ける切替えを、端末インタフェース部に於いて行う場合、その受信側に於いて回線単位（例えば、６４ｋｂｐｓ×ｎ）で行う手段が提供されている。このような切替手段は、シングルリング型ネットワークシステムに適用することは可能であるが、マルチリング型ネットワークシステムに適用した場合に、異なるリングに於ける障害が同時に発生する二重障害時には、救済することができない問題がある。
【０００９】
例えば、図６に於けるリングＡ側のノードＡ−０４，Ａ−０３間の障害発生と、リングＢ側のノードＢ−０５，Ｂ−０４間の障害発生との二重障害発生時には、端末Ａ，Ｂ間のノードＡ−０４側の０系ルートと１系ルートとが断となり、ノードＢ−０４側の０系ルートと１系ルートとが断となるから、図７に示す交点ノード０１によっては救済することができない問題がある。
【００１０】
本発明は、回線毎の付加ＴＳ情報を監視して、マルチリング型ネットワークシステムに於ける二重障害発生に対しても、回線対応の自動切替えによって救済することを目的とする。
【課題を解決するための手段】
【００１１】
本発明のマルチリング型ネットワークシステムは、複数のノードを０系と１系との光伝送路によりリング状に接続して０系ルートと１系ルートとを形成し、交点ノードにより前記０系ルートと１系ルートとを含む複数のリング間を接続したマルチリング型ネットワークシステムに於いて、前記交点ノードは、回線単位の付加ＴＳ情報を終端し、受信した前記付加ＴＳ情報と回線単位のデータとを基に前記０系ルートと１系ルートとの正常性を判定し、正常なルート側を選択して受信した前記回線単位のデータ及び前記付加ＴＳ情報を、０系ルートと１系ルートとに送信する付加ＴＳ終端盤を設けた構成を有する。
【００１２】
又本発明の交点ノードは、複数のノードを０系と１系との光伝送路によりリング状に接続して０系ルートと１系ルートとを形成し、複数のリング間を接続するマルチリング型ネットワークシステムに於ける交点ノードに於いて、回線単位の付加ＴＳ情報を終端し、受信した付加ＴＳ情報と回線単位のデータとを基に、０系ルートと１系ルートとの正常性を判定し、正常なルート側を選択して、受信した回線単位のデータ及び付加ＴＳ情報を、０系ルートと１系ルートとに送信する付加ＴＳ終端盤を設けた構成を有する。
【００１３】
又付加ＴＳ終端盤は、回線単位のデータのパリティ演算結果と、回線単位の付加ＴＳ情報とを基に０系ルートと１系ルートの正常性を判定する付加ＴＳ終端部と、この付加ＴＳ終端部により判定した正常なルート側の回線単位のデータ及び付加ＴＳ情報を、０系ルートと１系ルートとに送信するように切替えるセレクタとを備えている。
【発明の効果】
【００１４】
本発明のマルチリング型ネットワークシステム及び交点ノードは、０系と１系とのルートを有する複数のリングを交点ノードにより接続した構成を有し、その交点ノードは、回線単位毎の付加ＴＳ情報を終端する付加ＴＳ終端盤を備え、回線単位でルートの正常性を判定し、障害発生により、異常検出判定を行った時に、正常なルート側の受信データ及び付加ＴＳ情報を、０系ルートと１系ルートとに送信するものであるから、複数のリングにそれぞれ障害が発生しても、回線単位で正常なデータと付加ＴＳ情報とを送信することにより、データ通信を継続することができる。
【発明を実施するための最良の形態】
【００１５】
本発明のマルチリング型ネットワークシステム及び交点ノードは、図１を参照すると、複数のノードを０系と１系との光伝送路（２芯光ファイバ１０）によりリング状に接続して０系ルートと１系ルートとを形成し、交点ノード０１により、０系ルートと１系ルートとを含む複数のリング間を接続して、マルチリング型ネットワークシステムを構成し、交点ノード０１は、回線単位の付加ＴＳ情報を付加ＴＳ終端部１４により終端し、受信した付加ＴＳ情報と回線単位のデータとを基に、０系ルートと１系ルートとの正常性を判定し、正常なルート側をセレクタ１５により選択して、受信した回線単位のデータ及び付加ＴＳ情報を、０系ルートと１系ルートとに送信する付加ＴＳ終端盤１３を設けた構成を有する。
【実施例１】
【００１６】
図１は、本発明の実施例１の交点ノードの要部説明図であり、例えば、図６に示すリングＡ，Ｂ間を接続してマルチリング型ネットワークシステムを構成する交点ノード０１の要部を示すものであり、１０は０系光伝送路と１系光伝送路とを形成する為の２芯光ファイバ、１１Ａ０，１１Ａ１，１１Ｂ０，１１Ｂ１は光インタフェース部、１２Ａ，１２Ｂは空間スイッチ部、１３は付加ＴＳ（Ｔｉｍｅ  Ｓｌｏｔ）終端盤、１４は付加ＴＳ終端部、１５は回線単位で切替えるセレクタ（ＤＳＥＬ）を示す。即ち、付加ＴＳ終端盤１３を設けて、空間スイッチ部１２Ａ，１２Ｂに接続した構成とする。
【００１７】
付加ＴＳ終端盤１３は図示を省略したレジスタを有し、回線単位毎に、例えば、３２４０ＴＳ（タイムスロット）＝２００Ｍｂｐｓにアサインされ、何れの回線が、何れのタイムスロットにアサインされているかの情報を、レジスタに保持させておくものであり、従って、回線識別が可能となっている。そして、回線単位毎に、付加ＴＳ情報を伝送し、付加ＴＳ終端盤１３により終端し、付加ＴＳ終端部１４に於いて回線毎にパリティ演算を行い、付加ＴＳ内のパリティビットと比較して、パリティエラーの有無を判定する。この処理は、全回線に対して行うことになる。そして、付加ＴＳ終端部１４に於けるパリティエラーの有無の判定結果に応じてセレクタ（ＤＳＥＬ）１５を制御し、パリティエラーのない方の回線を選択して出力する。即ち、付加ＴＳ終端盤１３は、回線単位で正常系を選択して伝送処理することができる。
【００１８】
図２は、付加ＴＳ情報の一例を示すもので、１バイト（ビットｂ０〜ｂ７）構成を有し、ビットｂ０は、回線単位のパリティ（奇パリティ）Ｐを示し、このパリティＰは、回線単位のデータのパリティ演算処理を行って求めたパリティと比較することにより、０系ルートと１系ルートとの正常性判定を行う為のものである。この正常性判定結果に基づいて、付加ＴＳ終端盤１３に於いて回線対応の正常なルート側を選択するように切替えを行うものである。なお、ビットｂ０以外のビットｂ１は、対向局側の装置内受信アラーム＊ＢＡＩＳ、ビット２は、パスの方向Ｆ、ビット３は、タイムスロットの有効／無効を示すビット＊ＡＶ、ビットｂ４は、ＣＤ／ＲＳ転送の有効／無効を示すビット＊Ｓ、ビットｂ５は、迂回回線（光伝送路以外）の通過を示すビットＲＲＴ、ビットｂ６は、端末側のシグナリング情報＊ＳＴ、ビットｂ７は、対向局側の回線端末アラームＦＡＩＳを示す構成とすることができる。
【００１９】
付加ＴＳ終端部１４は、前述のように、回線単位の受信データについてのパリティ演算処理を行い、その演算結果と、各回線単位の付加ＴＳ情報の前述のパリティＰとを比較して、同一の場合は正常、相違する場合は異常と判定し、異常判定の場合は、セレクタ１５を制御して、０系／１系ルートの切替えを行い、正常ルートを選択する。それにより、付加ＴＳ情報は正常のパリティＰを含むものとなり、この正常な付加ＴＳ情報と正常なデータとを、空間スイッチ部１２Ａ，１２Ｂと光インタフェース部１１Ａ０，１１Ａ１，１１Ｂ０，１１Ｂ１を介して、０系ルートと１系ルートとに送信する。即ち、一方のリングから他方のリングに正常なデータと付加ＴＳ情報とを送信する。
【００２０】
図３は、交点ノード０１以外のノードの要部説明図であり、例えば、図６に於けるノードＢ−０３，Ｂ−０４の要部を示す。同図に於いて、２１Ｂ０，２１Ｂ１，３１Ｂ０，３１Ｂ１は光インタフェース部、２２Ｂ０，２２Ｂ１，３２Ｂ０，３２Ｂ１は空間スイッチ部、２４，３４は端末インタフェース部を示す。ノードＢ−０３，Ｂ−０４は、他の図示を省略したノードと共に、０系光伝送路と１系光伝送路とにより接続されている。又端末インタフェース部２４，３４は、ノードＢ−０３，Ｂ−０４対応の回線に対してのみ、パリティ演算の機能及び付加ＴＳ情報の中のパリティＰと算出されたパリティとの比較チェック機能とのパリティ処理手段を備え、ノードＢ−０３，Ｂ−０４に接続された端末等に対する回線に対してのみ、このパリティチェック処理手段を備えている。
【００２１】
又端末インタフェース部２４，３４は、０系伝送路と１系伝送路とを介してそれぞれ受信した回線単位のデータについて、前述のパリティ処理手段により、付加ＴＳ情報を基に正常か否かを判定し、パリティ異常の場合は、セレクタにより０系／１系ルートの切替えを行い、正常ルートを選択して、端末に対して送信する。又端末からのデータについては、回線単位のデータのパリティ演算結果のパリティＰを含む付加ＴＳ情報も含めて、０系伝送路と１系伝送路との両方に送信する。従って、前述の交点ノード０１に於いて、回線単位で正常性を判定して、正常な回線単位のデータ及び付加ＴＳ情報を０系ルートと１系ルートとに送信するから、障害発生によっても各端末間のデータ通信を継続することができる。
【００２２】
又光インタフェース部２１Ｂ０，２１Ｂ１，３１Ｂ０，３１Ｂ１、又は空間スイッチ部２２Ｂ０，２２Ｂ１，３２Ｂ０，３２Ｂ１に於いて、それぞれ自ノード宛のデータでない場合は、折り返し経路を形成して中継送信する。このような制御手段については、既に知られている手段を適用することができる。例えば、ノードＢ−０４とノードＢ−０５（図示を省略）との間の光伝送路の障害発生の場合、ノードＢ−０４に於いては、端末インタフェース部３４は、ノードＢ−０３との間の１系光伝送路によるデータを選択して端末に送信し、光インタフェース部３１Ｂ０と空間スイッチ部３２Ｂ０とを介して伝送されるデータの付加ＴＳ情報を、異常発生を示す内容としてノードＢ−０３側に０系光伝送路を介して送信する。
【００２３】
又ノードＢ−０３に於いては、０系光伝送路を介して受信したデータは、付加ＴＳ情報を基に異常発生と判定することができるから、端末インタフェース部２４は、１系光伝送路から受信したデータを選択して端末へ送信する。従って、光伝送路の障害発生を救済することが可能となり、且つ交点ノード０１に付加ＴＳ終端盤１３を設けたことにより、リングＡ，Ｂに於けるそれぞれの障害発生時、即ち、二重障害の場合も、正常なルート選択が可能となる。
【実施例２】
【００２４】
図４は、本発明の実施例２のマルチリング型ネットワークシステムの説明図であり、ノードＡ−０２〜Ａ−０４を、０系ルートと１系ルートとを形成する光伝送路により接続したリングＡと、ノードＢ−０２〜Ｂ−０４を、０系ルートと１系ルートとを形成する光伝送路により接続したリングＢと、ノードＣ−０２〜Ｃ−０４を、０系ルートと１系ルートとを形成する光伝送路により接続したリングＣと、ノードＤ−０２〜Ｄ−０４を、０系ルートと１系ルートとを形成する光伝送路により接続したリングＤとを、交点ノード０１により相互間を接続したマルチリング型ネットワークシステムを示す。なお、端末Ａ，Ｂ，Ｃ，Ｄをそれぞれ、リングＡ，Ｂ，Ｃ，ＤのノードＡ―０３，Ｂ−０３，Ｃ−０３，Ｄ−０３に接続している構成を示す。なお、他のノードに対しても、単一或いは複数の端末を接続することができるものである。
【００２５】
図５は、前述の図４に示すリングＡ，Ｂ，Ｃ，Ｄ間を接続する交点ノード０１の要部説明図であり、５１は光インタフェース部、５２−０，５２−１は空間スイッチ部、５３は付加ＴＳ終端盤、５４は付加ＴＳ終端部、５５はセレクタ（ＤＳＥＬ）を示す。付加ＴＳ終端盤５３は、図１に示す付加ＴＳ終端盤１３の機能と同様の機能を有し、図示を省略したレジスタにより、伝送帯域内のタイムスロットと回線との関係の情報を保持している。又光インタフェース部５１は、リングＡ，Ｂ，Ｃ，Ｄの０系光伝送路と１系光伝送路とにそれぞれ対応して設け、又空間スイッチ部５２−０は、光インタフェース部５１を介した０系光伝送路との間のデータ転送を行うポートＰ２，Ｐ４，Ｐ６，Ｐ８と、付加ＴＳ終端盤５３との間を接続する為のポートＰ１とを備え、又空間スイッチ部５２−１は、光インタフェース部５１を介した１系光伝送路との間のデータ転送を行うポートＰ３，Ｐ５，Ｐ７，Ｐ９と、付加ＴＳ終端盤５３との間を接続する為のポートＰ１とを備えている。
【００２６】
従って、リングＡとリングＢとの０系光伝送路は、光インタフェース部５１と、空間スイッチ部５２−０のポートＰ２，Ｐ４と、付加ＴＳ終端盤５３とを介して接続される構成となり、又リングＡとリングＢとの１系光伝送路は、光インタフェース部５１と、空間スイッチ部５２−１のポートＰ３，Ｐ５と、付加ＴＳ終端盤５３とを介して接続される構成となる。他のリングＣ，Ｄについても同様にリング間は、光インタフェース部５１と空間スイッチ部５２−０，５２−１と付加ＴＳ終端盤５３とを介して接続された構成となる。そして、付加ＴＳ終端盤５３に於ける付加ＴＳ終端部５４とセレクタ５５とにより、回線単位で、パリティ演算処理と、付加ＴＳ情報とを用いて、回線毎の経路の正常性をチェックし、例えば、或る回線の０系が異常の場合は、セレクタ５５を制御して、その回線の１系の正常なデータ及びその付加ＴＳ情報を、空間スイッチ５２−０，５２−１の両方を介して、その回線の０系と１系とに送信する。
【００２７】
従って、図４に示すマルチリング型ネットワークシステムに於けるリングＡの端末Ａと、リングＣの端末Ｃとの間に於いて、例えば、リングＡのノードＡ−０４と交点ノード０１との間と、リングＣのノードＣ−０２，Ｃ−０３間の二重障害発生によっても、交点ノード０１に於いて、端末Ａからのデータは、ノードＡ−０２を介した１系ルートから、リングＣのノードＣ−０２側の０系ルートと、ノードＣ−０４側の１系ルートとに送出され、ノードＣ−０３は、リングＣの正常な１系ルートを介したデータを端末Ｃに送信し、又端末Ｃからのデータは、ノードＣ−０３から０系と１系とのルートに送信するが、交点ノード０１に於いては、ノードＣ−０２を介した１系ルートを選択して、リングＡの０系と１系とのルートに送信する。リングＡのノードＡ−０３は、ノードＡ−０２を介した正常なデータを選択して端末Ａに送信する。このように、二重障害発生によっても、交点ノード０１の付加ＴＳ終端盤５３の機能により、正常なルート選択を回線単位で行うことができるから、端末間の通信を継続することができる。
【００２８】
又前述の交点ノード０１に於ける付加ＴＳ終端盤１３，５３は、例えば、２００Ｍｂｐｓ帯域の場合に、最大８１０回線について回線対応のパリティ演算処理を実行できる構成とすると、例えば、６００Ｍｂｐｓ帯域に適用する場合は、前述の付加ＴＳ終端盤１３，５３を３枚設けることにより、回線対応のパリティ演算処理による正常性の判定処理及びルート切替えが可能となる。又シングルリング型ネットワークシステムを構築する場合は、交点ノード０１の空間スイッチ部間を接続する付加ＴＳ終端盤１３，５３を省略した構成又は図３に示す構成とすることができる。従って、ネットワークシステム構成に対応したノード構成とすることができるから、柔軟な対応が可能となる。
【図面の簡単な説明】
【００２９】
【図１】本発明の実施例１の交点ノードの要部説明図である。
【図２】付加ＴＳ情報の説明図である。
【図３】本発明の実施例１のノードの要部説明図である。
【図４】本発明の実施例２の説明図である。
【図５】本発明の実施例２の交点ノードの要部説明図である。
【図６】マルチリング型ネットワークシステムの説明図である。
【図７】従来の交点ノードの要部説明図である。
【符号の説明】
【００３０】
０１  交点ノード
１０  ２芯光ファイバ
１１Ａ０，１１Ａ１，１１Ｂ０，１１Ｂ１  光インタフェース部
１２Ａ，１２Ｂ  空間スイッチ部
１３  付加ＴＳ終端盤
１４  付加ＴＳ終端部
１５  セレクタ（ＤＳＥＬ）
【図１】
2006253868.tif 000003
【図２】
2006253868.tif 000004
【図３】
2006253868.tif 000005
【図４】
2006253868.tif 000006
【図５】
2006253868.tif 000007
【図６】
2006253868.tif 000008
【図７】
2006253868.tif 000009